(57)【特許請求の範囲】
【請求項１】
放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネルを構成し、
このプラズマディスプレイパネルの前記スキャン電極を所定の本数を１単位として複数のブロックに分割するとともに、前記ブロック毎に初期化動作、書き込み動作および維持動作を行なうためのパネル駆動電圧を前記スキャン電極に供給する１個のスキャン電極駆動用ＩＣを接続し、
前記書き込み動作期間には書込み動作を行う順番がまわってきたスキャン電極駆動用ＩＣは前記スキャン電極に所定の電圧と、前記所定の電圧より低いスキャンパルス電圧を印加し、
書込み動作を行う順番がまわってきていないスキャン電極駆動用ＩＣが前記スキャン電極に印加する電圧は、前記書込み動作を行う順番がまわってきたスキャン電極駆動用ＩＣが前記スキャン電極に印加する前記所定の電圧および前記スキャンパルス電圧よりも高くするように構成したことを特徴とするプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このＡＣ型で面放電型のプラズマディスプレイ装置は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するプラズマディスプレイパネル（以下、パネルという）を構成しており、図７にそのパネルの一例を示している。
【０００５】
図７に示すように、第一のガラス基板１上には、誘電体層２および保護膜３で覆われたスキャン電極４と維持電極５とを対を成して互いに平行に付設されている。第二のガラス基板６上には、絶縁体層７で覆われたデータ電極８が付設され、データ電極８の間の絶縁体層７上にデータ電極８と平行して隔壁９が設けられている。
【０００６】
また、絶縁体層７の表面からと隔壁９の側面にかけて蛍光体１０が設けられ、スキャン電極４および維持電極５とデータ電極８とが直交するように第一のガラス基板１と第二のガラス基板６とを放電空間１１を挟んで対向して配置されている。放電空間１１には、放電ガスとして、ヘリウム、ネオン、アルゴン、キセノンの内少なくとも１種類の希ガスが封入されており、隣接する二つの隔壁９に挟まれ、データ電極８と対向する対をなすスキャン電極４と維持電極５との交差部の放電空間には放電セル１２が構成されている。
【０００７】
以上によりパネル１３が構成されている。
【０００８】
次に、このパネルの電極配列図を図８に示す。図８に示すように、このパネルの電極配列はＭ×Ｎのマトリックス構成であり、列方向にはＭ列のデータ電極Ｄ１〜ＤＭが配列されており、行方向にはＮ行のスキャン電極ＳＣＮ１〜ＳＣＮＮおよび維持電極ＳＵＳ１〜ＳＵＳＮが配列されている。また、図８に示した放電セル１２は図７に示すように構成されている。
【０００９】
このパネルを駆動するための従来の駆動方法の動作駆動タイミング図を図９に示す。この駆動方法は２５６階調の階調表示を行うためのものであり、１フィールド期間を８個のサブフィールドで構成している。以下、従来のパネルの駆動方法について図７、図９、図１０を用いて説明する。
【００１０】
図９に示すように、第１ないし第８のサブフィールドはそれぞれ初期化期間、書き込み期間、維持期間および消去期間から構成されている。まず、第１のサブフィールドにおける動作について説明する。
【００１１】
図９に示すように、初期化期間の前半の初期化動作において、全てのデータ電極Ｄ１〜ＤＭおよび全ての維持電極ＳＵＳ１〜ＳＵＳＮを０（Ｖ）に保持し、全てのスキャン電極ＳＣＮ１〜ＳＣＮＮには、全ての維持電極ＳＵＳ１〜ＳＵＳＮに対して放電開始電圧以下となる電圧Ｖｐ（Ｖ）から、放電開始電圧を越える電圧Ｖｒ（Ｖ）に向かって緩やかに上昇するランプ電圧を印加する。このランプ電圧が上昇する間に、全ての放電セル１２において、全てのスキャン電極ＳＣＮ１〜ＳＣＮＮから全てのデータ電極Ｄ１〜ＤＭおよび全ての維持電極ＳＵＳ１〜ＳＵＳＮにそれぞれ一回目の微弱な初期化放電が起こり、スキャン電極ＳＣＮ１〜ＳＣＮＮ上の保護膜３の表面に負の壁電圧が蓄積されるとともに、データ電極Ｄ１〜ＤＭ上の絶縁体層７の表面および維持電極ＳＵＳ１〜ＳＵＳＮ上の保護膜３の表面には正の壁電圧が蓄積される。壁電圧とは壁電荷が蓄積されて成るものである。
【００１２】
さらに、初期化期間の後半の初期化動作において、全ての維持電極ＳＵＳ１〜ＳＵＳＮを正電圧Ｖｈ（Ｖ）に保ち、全てのスキャン電極ＳＣＮ１〜ＳＣＮＮには、全ての維持電極ＳＵＳ１〜ＳＵＳＮに対して放電開始電圧以下となる電圧Ｖｑ（Ｖ）から放電開始電圧を越える０（Ｖ）に向かって緩やかに下降するランプ電圧を印加する。このランプ電圧が下降する間に、再び全ての放電セル１２において、全ての維持電極ＳＵＳ１〜ＳＵＳＮから全てのスキャン電極ＳＣＮ１〜ＳＣＮＮにそれぞれ二回目の微弱な初期化放電が起こり、スキャン電極ＳＣＮ１〜ＳＣＮＮ上の保護膜３表面の負の壁電圧および維持電極ＳＵＳ１〜ＳＵＳＮ上の保護膜３表面の正の壁電圧が弱められる。一方、データ電極Ｄ１〜ＤＭ上の絶縁体層７の表面の正の壁電圧はそのまま保たれる。
【００１３】
以上により初期化期間の初期化動作が終了する。この後書き込み放電が起きるまでスキャン電極とデータ電極間およびスキャン電極と維持電極間は印加電圧とセルに形成された壁電圧によりそれぞれ放電開始電圧ぎりぎり、あとわずかでもセル内に加わる電圧を大きくしたら放電する状態に保たれる。
【００１４】
次の書き込み期間の書き込み動作について説明する。図１０に示す通りスキャン電極駆動用ＩＣ１４〜１７を複数個用い、パネル１３のスキャン電極に対し順次にスキャンパルスを印加するように配置されている。スキャン電極駆動用ＩＣ１４〜１７の電源端子１８は電源Ｖｓ（Ｖ）に、ＧＮＤ端子は０（Ｖ）にそれぞれ接続されている。
【００１５】
まず、全てのスキャン電極ＳＣＮ１〜ＳＣＮＮをＶｓ（Ｖ）に保持し、データ電極Ｄ１〜ＤＭのうち、第一行目に表示すべき放電セル１２に対応する所定のデータ電極に正の書き込みパルス電圧Ｖｗ（Ｖ）を、第一行目のスキャン電極ＳＣＮ１にスキャンパルス電圧０（Ｖ）をそれぞれ印加する。このとき、所定のデータ電極とスキャン電極ＳＣＮ１との交差部における絶縁体層７の表面とスキャン電極ＳＣＮ１上の保護膜３の表面との間の電圧は、書き込みパルス電圧Ｖｗ（Ｖ）にデータ電極Ｄ１〜ＤＭ上の絶縁体層７の表面の正の壁電圧が加算されたものとなるため、この交差部において、所定のデータ電極とスキャン電極ＳＣＮ１との間および維持電極ＳＵＳ１とスキャン電極ＳＣＮ１との間に書き込み放電が起こり、この交差部のスキャン電極ＳＣＮ１上の保護膜３表面に正電圧が蓄積され、維持電極ＳＵＳ１上の保護膜３表面に負電圧が蓄積され、書き込み放電が起こったデータ電極上の絶縁体層７の表面に負電圧が蓄積される。
【００１６】
次に、データ電極Ｄ１〜ＤＭのうち、第二行目に表示すべき放電セル１２に対応する所定のデータ電極に正の書き込みパルス電圧Ｖｗ（Ｖ）を、第二行目のスキャン電極ＳＣＮ２にスキャンパルス電圧０（Ｖ）をそれぞれ印加する。このとき、所定のデータ電極とスキャン電極ＳＣＮ２との交差部における絶縁体層７の表面とスキャン電極ＳＣＮ２上の保護膜３の表面との間の電圧は、書き込みパルス電圧Ｖｗ（Ｖ）に、所定のデータ電極上の絶縁体層７表面の正の壁電圧が加算されたものとなるため、この交差部において、所定のデータ電極とスキャン電極ＳＣＮ２との間および維持電極ＳＵＳ２とスキャン電極ＳＣＮ２との間に書き込み放電が起こり、この交差部のスキャン電極ＳＣＮ２上の保護膜３表面に正電圧が蓄積され、維持電極ＳＵＳ２上の保護膜３表面に負電圧が蓄積される。
【００１７】
同様な動作が引き続いて行われ、最後に、データ電極Ｄ１〜ＤＭのうち、第Ｎ行目に表示すべき放電セル１２に対応する所定のデータ電極に正の書き込みパルス電圧Ｖｗ（Ｖ）を、第Ｎ行目のスキャン電極ＳＣＮＮにスキャンパルス電圧０（Ｖ）をそれぞれ印加する。このとき、所定のデータ電極とスキャン電極ＳＣＮＮとの交差部において、所定のデータ電極とスキャン電極ＳＣＮＮとの間および維持電極ＳＵＳＮとスキャン電極ＳＣＮＮとの間に書き込み放電が起こり、この交差部のスキャン電極ＳＣＮＮ上の保護膜３表面に正電圧が蓄積され、維持電極ＳＵＳＮ上の保護膜３表面に負電圧が蓄積され、書き込み放電が起こったデータ電極上の絶縁体層７の表面に負電圧が蓄積される。以上により書き込み期間における書き込み動作が終了する。
【００１８】
続く維持期間において、先ず、全てのスキャン電極ＳＣＮ１〜ＳＣＮＮおよび維持電極ＳＵＳ１〜ＳＵＳＮを０（Ｖ）に一旦戻した後、全てのスキャン電極群ＳＣＮ１〜ＳＣＮＮに正の維持パルス電圧Ｖｍ（Ｖ）を印加すると、書き込み放電を起こした放電セル１２におけるスキャン電極ＳＣＮ１〜ＳＣＮＮ上の保護膜３と維持電極ＳＵＳ１〜ＳＵＳＮ上の保護膜３との間の電圧は、維持パルス電圧Ｖｍ（Ｖ）に、書き込み期間において蓄積されたスキャン電極ＳＣＮ１〜ＳＣＮＮ上の保護膜３表面の正電圧および維持電極ＳＵＳ１〜ＳＵＳＮ上の保護膜３表面の負電圧が加算されたものとなる。このため、書き込み放電を起こした放電セルにおいて、スキャン電極ＳＣＮ１〜ＳＣＮＮと維持電極ＳＵＳ１〜ＳＵＳＮとの間に維持放電が起こり、この維持放電を起こした放電セルにおけるスキャン電極ＳＣＮ１〜ＳＣＮＮ上の保護膜３表面に負電圧が蓄積され、維持電極ＳＵＳ１〜ＳＵＳＮ上の保護膜３表面に正電圧が蓄積される。その後、維持パルス電圧は０（Ｖ）に戻る。
【００１９】
続いて、全ての維持電極ＳＵＳ１〜ＳＵＳＮに正の維持パルス電圧Ｖｍ（Ｖ）を印加すると、維持放電を起こした放電セル１２における維持電極ＳＵＳ１〜ＳＵＳＮ上の保護膜３とスキャン電極ＳＣＮ１〜ＳＣＮＮ上の保護膜３との間の電圧は、維持パルス電圧Ｖｍ（Ｖ）に、直前の維持放電によって蓄積されたスキャン電極ＳＣＮ１〜ＳＣＮＮ上の保護膜３表面の負電圧および維持電極ＳＵＳ１〜ＳＵＳＮ上の保護膜３表面の正電圧が加算されたものとなる。
【００２０】
このため、この維持放電を起こした放電セルにおいて、維持電極ＳＵＳ１〜ＳＵＳＮとスキャン電極ＳＣＮ１〜ＳＣＮＮとの間に維持放電が起こることにより、その放電セルにおける維持電極ＳＵＳ１〜ＳＵＳＮ上の保護膜３表面に負電圧が蓄積され、スキャン電極ＳＣＮ１〜ＳＣＮＮ上の保護膜３表面に正電圧が蓄積される。その後、前記維持パルス電圧は０（Ｖ）に戻る。
【００２１】
以降同様に、全てのスキャン電極ＳＣＮ１〜ＳＣＮＮと全ての維持電極ＳＵＳ１〜ＳＵＳＮとに正の維持パルス電圧Ｖｍ（Ｖ）を交互に印加することにより、維持放電が継続して行われ、維持期間の最終において、全てのスキャン電極ＳＣＮ１〜ＳＣＮＮに正の維持パルス電圧Ｖｍ（Ｖ）を印加すると、維持放電を起こした放電セル１２におけるスキャン電極ＳＣＮ１〜ＳＣＮＮ上の保護膜３と維持電極ＳＵＳ１〜ＳＵＳＮ上の保護膜３との間の電圧は、維持パルス電圧Ｖｍ（Ｖ）に、直前の維持放電によって蓄積されたスキャン電極ＳＣＮ１〜ＳＣＮＮ上の保護膜３表面の正電圧と維持電極ＳＵＳ１〜ＳＵＳＮ上の保護膜３表面の負電圧が加算されたものとなる。
【００２２】
このため、この維持放電を起こした放電セルにおいて、スキャン電極ＳＣＮ１〜ＳＣＮＮと維持電極ＳＵＳ１〜ＳＵＳＮとの間に維持放電が起こることにより、その放電セルにおけるスキャン電極ＳＣＮ１〜ＳＣＮＮ上の保護膜３表面に負電圧が蓄積され、維持電極ＳＵＳ１〜ＳＵＳＮ上の保護膜３表面に正電圧が蓄積される。その後、維持パルス電圧は０（Ｖ）に戻る。
【００２３】
以上により維持期間の維持動作が終了する。この維持放電により発生する紫外線で励起された蛍光体１０からの可視発光を表示に用いている。
【００２４】
続く消去期間においては、全ての維持電極ＳＵＳ１〜ＳＵＳＮに０（Ｖ）からＶｅ（Ｖ）に向かって緩やかに上昇するランプ電圧を印加すると、維持放電を起こした放電セル１２において、スキャン電極ＳＣＮ１〜ＳＣＮＮ上の保護膜３と維持電極ＳＵＳ１〜ＳＵＳＮ上の保護膜３との間の電圧は、維持期間の最終時点における、スキャン電極ＳＣＮ１〜ＳＣＮＮ上の保護膜３表面の負電圧および維持電極ＳＵＳ１〜ＳＵＳＮ上の保護膜３表面の正電圧がこのランプ電圧に加算されたものとなる。
【００２５】
このため、維持放電を起こした放電セルにおいて、維持電極ＳＵＳ１〜ＳＵＳＮとスキャン電極ＳＣＮ１〜ＳＣＮＮとの間に微弱な消去放電が起こり、スキャン電極ＳＣＮ１〜ＳＣＮＮ上の保護膜３表面の負電圧と維持電極ＳＵＳ１〜ＳＵＳＮ上の保護膜３表面の正電圧が弱められて維持放電は停止する。以上により消去期間における消去動作が終了する。
【００２６】
ただし、以上の動作において、表示が行われない放電セルに関しては、初期化期間に初期化放電は起こるが、書き込み放電、維持放電および消去放電は行われず、表示が行われない放電セルのスキャン電極ＳＣＮ１〜ＳＣＮＮと維持電極ＳＵＳ１〜ＳＵＳＮの保護膜３の表面の壁電圧、およびデータ電極Ｄ１〜ＤＭ上の絶縁体層７の表面の壁電圧は、初期化期間の終了時の状態のまま保たれる。
【００２７】
以上の全ての動作により第１のサブフィールドにおける一画面が表示される。以下、同様な動作が、第２のサブフィールドから第８のサブフィールドにわたって行われる。これらのサブフィールドにおいて表示される放電セルの輝度は、前記維持パルス電圧Ｖｍ（Ｖ）の印加回数により定まる。従って、詳しい説明は省略するが、例えば、各サブフィールドにおける維持パルス電圧の印加回数を適宜設定して、１フィールド期間に維持放電による輝度が２０、２１、２２、…２７である８個のサブフィールドで構成することにより、２８＝２５６階調の階調表示が可能になる。
【００２８】
【発明が解決しようとする課題】
先にも述べたとおり、初期化期間の後半の初期化動作においてスキャン電極とデータ電極間およびスキャン電極と維持電極間は印加電圧とセルに形成された壁電圧によりそれぞれ放電開始電圧ぎりぎり、あとわずかでもセル内に加わる電圧を大きくしたら放電する状態に保持されている。各セルでは書き込み期間中にスキャン電極にスキャンパルスが印加され、データ電極にデータパルスが印加されることにより書き込み放電が起こる。
【００２９】
ここで、仮にスキャンパルスの電圧振幅が０（Ｖ）から１００（Ｖ）で、データパルスの電圧振幅も０（Ｖ）から１００（Ｖ）であったとすると、書き込み放電させるセルではデータ電圧１００（Ｖ）が印加され、スキャンパルスは０（Ｖ）が印加されるが、書き込みの必要の無いセルでは、このときスキャンパルスは１００（Ｖ）が印加されている。これは初期化動作後半が終了した時のスキャン電極と維持電極の各々の印加電圧が１００（Ｖ）レベルシフトした状態であり、実際にセルに印加される電圧は何ら変わるものではなく放電開始電圧ぎりぎりの状態が維持され続けているはずである。
【００３０】
しかし、実際のプラズマディスプレイパネルでは放電開始電圧ぎりぎりの状態は続くものではなく、初期化期間に近いほど壁電圧は減少しやすい傾向にある。この壁電圧の減少を防ぐには、スキャンパルスの電圧振幅をデータパルスの電圧振幅よりも大きくすればよい。例えば、データパルスの電圧振幅を０（Ｖ）から１００（Ｖ）とし、スキャンパルスの電圧振幅を０（Ｖ）から１２０（Ｖ）としてその差２０（Ｖ）設け、書き込み放電を行わないセルは放電開始電圧−２０（Ｖ）の状態にしておくことにより壁電荷の移動を抑制することができる。
【００３１】
しかしながら近年、プラズマディスプレイ装置の低価格化に対する要望が強くなり、このためスキャン電極駆動用ＩＣに対しても低電圧化による低コスト化が要求されてきているが、上述のような壁電荷の移動を抑制するためにはスキャンパルスの電圧振幅を大きくする必要があることから、低コスト化の阻害要因となっていた。
【００３２】
本発明はこのような現状に鑑みなされたもので、低電圧の安価なスキャン電極駆動用ＩＣを用いた場合でも、安定した書き込み動作が行えるようにすることを目的とする。
【００３３】
【課題を解決するための手段】
上記目的を達成するために本発明のプラズマディスプレイ装置は、パネルの前記スキャン電極を所定の本数を１単位として複数のブロックに分割するとともに、そのスキャン電極の各ブロックに初期化動作、書き込み動作および維持動作を行なうためのパネル駆動電圧を供給する複数個のスキャン電極駆動用ＩＣを接続し、かつスキャン電極駆動用ＩＣは、書き込み動作期間において、スキャン電極にスキャンパルス電圧を印加する場合以外は前記スキャン電極にスキャンパルス電圧より高い電圧を印加するように構成したものである。
【００３４】
【発明の実施の形態】
すなわち、本発明の請求項１記載の発明は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するパネルを構成し、このパネルの前記スキャン電極を所定の本数を１単位として複数のブロックに分割するとともに、そのスキャン電極の各ブロックに初期化動作、書き込み動作および維持動作を行なうためのパネル駆動電圧を供給する複数個のスキャン電極駆動用ＩＣを接続し、かつスキャン電極駆動用ＩＣは、書き込み動作期間において、スキャン電極にスキャンパルス電圧を印加する場合以外は前記スキャン電極にスキャンパルス電圧より高い電圧を印加するように構成したものである。
【００３５】
また、本発明の請求項２に記載の発明は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルを有するパネルを構成し、このパネルの前記スキャン電極を所定の本数を１単位として複数のブロックに分割するとともに、そのスキャン電極の各ブロックに初期化動作、書き込み動作および維持動作を行なうためのパネル駆動電圧を供給する複数個のスキャン電極駆動用ＩＣを接続し、かつスキャン電極駆動用ＩＣのＧＮＤ端子と電源端子間に電源を与える手段を設けるとともに、そのＧＮＤ端子に書き込み動作期間中に２つ以上の異なる電圧に切り替える手段を設け、前記スキャン電極駆動用ＩＣは、書き込み動作期間において、スキャン電極にスキャンパルス電圧を印加する場合以外は前記スキャン電極にスキャンパルス電圧より高い電圧を印加するように切り替えるものである。
【００３６】
さらに、本発明の請求項３では、上記請求項１、請求項２に記載のプラズマディスプレイ装置において、書き込み動作期間中にスキャン電極にスキャンパルス電圧より高い電圧を印加するように切り替える動作を、スキャン電極駆動用ＩＣ毎に行うように構成したものであり、また本発明の請求項４では、書き込み動作期間が開始されてから初めてスキャンパルスを出力するまでの期間中、スキャン電極にスキャンパルス電圧より高い電圧を印加するようにしたものであり、また本発明の請求項５では、書き込み動作期間において、スキャンパルスを出力し始めてから所定の数のスキャンパルスを出力し終える期間以外の期間中、スキャン電極にスキャンパルス電圧より高い電圧を印加するものである。
【００３７】
（第１の実施の形態）
以下、本発明の一実施の形態によるプラズマディスプレイ装置について、図１〜図３を用いて説明する。
【００３８】
図１に本発明の一実施の形態によるプラズマディスプレイ装置におけるスキャン電極駆動回路部分を示し、図２に書き込み動作期間中のスキャン電極駆動用ＩＣの出力波形を示し、図３にパネル駆動波形を示している。
【００３９】
まず、図１において、パネル１３については、スキャン電極および維持電極数が２５６本になることを除いては、図７を用いて説明したものと同様である。すなわち、図７で説明したように、パネル１３は、放電空間を形成して対向する一対の基板上に、パネルの行方向に複数本配列されるスキャン電極と、このスキャン電極と平行に配置される複数本のサステイン電極と、これらのスキャン電極及びサステイン電極に交差するようにパネルの列方向に複数本配列されるアドレス電極とを設けることにより複数の放電セルが設けられた構成である。
【００４０】
図１に示すように、このパネル１３の前記スキャン電極を所定の６４本を１単位として複数のブロックに分割するとともに、そのスキャン電極の各ブロックに、初期化動作、書き込み動作および維持動作を行なうためのパネル駆動電圧を供給する複数個のスキャン電極駆動用ＩＣ２１、２２、２３、２４を接続しており、このスキャン電極駆動用ＩＣ２１〜２４は、パネル１３の６４本のスキャン電極に対し各々スキャンパルスを出力し、駆動するものである。
【００４１】
また、スキャン電極駆動用ＩＣ２１〜２４は、それぞれの電源端子２５とＧＮＤ端子２６間に電源電圧Ｖｓ（Ｖ）が印加されるように電源に接続され、さらにスキャン電極駆動用ＩＣ２２〜２４のＧＮＤ端子２６側は、切り替え手段であるスイッチ２７、２８、２９によって２つの異なる電圧である０（Ｖ）とＶｓ２（Ｖ）に切り替え可能なように構成されている。
【００４２】
また、スキャン電極駆動用ＩＣ２１〜２４を制御する制御信号は、各々のスキャン電極駆動用ＩＣ２１〜２４のＧＮＤレベルが異なるため、信号レベルシフト素子３０を通して各スキャン電極駆動用ＩＣ２１〜２４に入力されるように構成されている。
【００４３】
図３に示すように、第１ないし第８のサブフィールドはそれぞれ初期化期間、書き込み期間、維持期間および消去期間から構成されている。まず、第１のサブフィールドにおける動作について説明する。
【００４４】
図３に示すように、初期化期間の前半の初期化動作において、全てのデータ電極Ｄ１〜ＤＭおよび全ての維持電極ＳＵＳ１〜ＳＵＳ２５６を０（Ｖ）に保持し、全てのスキャン電極ＳＣＮ１〜ＳＣＮ２５６には、全ての維持電極ＳＵＳ１〜ＳＵＳ２５６に対して放電開始電圧以下となる電圧Ｖｐ（Ｖ）から、放電開始電圧を越える電圧Ｖｒ（Ｖ）に向かって緩やかに上昇するランプ電圧を印加する。このランプ電圧が上昇する間に、全ての放電セル１２において、全てのスキャン電極ＳＣＮ１〜ＳＣＮ２５６から全てのデータ電極Ｄ１〜ＤＭおよび全ての維持電極ＳＵＳ１〜ＳＵＳ２５６にそれぞれ一回目の微弱な初期化放電が起こり、スキャン電極ＳＣＮ１〜ＳＣＮ２５６上の保護膜３の表面に負の壁電圧が蓄積されるとともに、データ電極Ｄ１〜ＤＭ上の絶縁体層７の表面および維持電極ＳＵＳ１〜ＳＵＳ２５６上の保護膜３の表面には正の壁電圧が蓄積される。壁電圧とは壁電荷が蓄積されて成るものである。
【００４５】
さらに、初期化期間の後半の初期化動作において、全ての維持電極ＳＵＳ１〜ＳＵＳ２５６を正電圧Ｖｈ（Ｖ）に保ち、全てのスキャン電極ＳＣＮ１〜ＳＣＮ２５６には、全ての維持電極ＳＵＳ１〜ＳＵＳ２５６に対して放電開始電圧以下となる電圧Ｖｑ（Ｖ）から放電開始電圧を越える０（Ｖ）に向かって緩やかに下降するランプ電圧を印加する。このランプ電圧が下降する間に、再び全ての放電セル１２において、全ての維持電極ＳＵＳ１〜ＳＵＳ２５６から全てのスキャン電極ＳＣＮ１〜ＳＣＮ２５６にそれぞれ二回目の微弱な初期化放電が起こり、スキャン電極ＳＣＮ１〜ＳＣＮ２５６上の保護膜３表面の負の壁電圧および維持電極ＳＵＳ１〜ＳＵＳ２５６上の保護膜３表面の正の壁電圧が弱められる。
【００４６】
一方、データ電極Ｄ１〜ＤＭ上の絶縁体層７の表面の正の壁電圧はそのまま保たれる。以上により初期化期間の初期化動作が終了する。
【００４７】
次の書き込み期間の書き込み動作について図２、図３を用いて説明する。まず、スキャン電極の１ライン目から６４ライン目に対してスキャンパルスを印加するスキャン電極駆動用ＩＣ２１のＧＮＤ端子は０（Ｖ）に固定され、それ以外のスキャン電極駆動用ＩＣ２２〜２４については、それぞれに接続されているスイッチ２７〜２９によってＶｓ２（Ｖ）に固定されている。
【００４８】
スキャン電極ＳＣＮ１〜ＳＣＮ６４をＶｓ（Ｖ）に保持し、データ電極Ｄ１〜ＤＭのうち、第一行目に表示すべき放電セル１２に対応する所定のデータ電極に正の書き込みパルス電圧Ｖｗ（Ｖ）を、第一行目のスキャン電極ＳＣＮ１にスキャンパルス電圧０（Ｖ）をそれぞれ印加する。このとき、所定のデータ電極とスキャン電極ＳＣＮ１との交差部における絶縁体層７の表面とスキャン電極ＳＣＮ１上の保護膜３の表面との間の電圧は、書き込みパルス電圧Ｖｗ（Ｖ）にデータ電極Ｄ１〜ＤＭ上の絶縁体層７の表面の正の壁電圧が加算されたものとなるため、この交差部において、所定のデータ電極とスキャン電極ＳＣＮ１との間および維持電極ＳＵＳ１とスキャン電極ＳＣＮ１との間に書き込み放電が起こり、この交差部のスキャン電極ＳＣＮ１上の保護膜３表面に正電圧が蓄積され、維持電極ＳＵＳ１上の保護膜３表面に負電圧が蓄積され、書き込み放電が起こったデータ電極上の絶縁体層７の表面に負電圧が蓄積される。
【００４９】
次に、データ電極Ｄ１〜ＤＭのうち、第二行目に表示すべき放電セル１２に対応する所定のデータ電極に正の書き込みパルス電圧Ｖｗ（Ｖ）を、第二行目のスキャン電極ＳＣＮ２にスキャンパルス電圧０（Ｖ）をそれぞれ印加する。このとき、所定のデータ電極とスキャン電極ＳＣＮ２との交差部における絶縁体層７の表面とスキャン電極ＳＣＮ２上の保護膜３の表面との間の電圧は、書き込みパルス電圧Ｖｗ（Ｖ）に所定のデータ電極上の絶縁体層７の表面の正の壁電圧が加算されたものとなるため、この交差部において所定のデータ電極とスキャン電極ＳＣＮ２との間および維持電極ＳＵＳ２とスキャン電極ＳＣＮ２との間に書き込み放電が起こり、この交差部のスキャン電極ＳＣＮ２上の保護膜３表面に正電圧が蓄積され、維持電極ＳＵＳ２上の保護膜３表面に負電圧が蓄積される。
【００５０】
同様な動作が引き続いて行われ、最後に、データ電極Ｄ１〜ＤＭのうち、第６４行目に表示すべき放電セル１２に対応する所定のデータ電極に正の書き込みパルス電圧Ｖｗ（Ｖ）を、第６４行目のスキャン電極ＳＣＮ６４にスキャンパルス電圧０（Ｖ）をそれぞれ印加する。このとき、所定のデータ電極とスキャン電極ＳＣＮ６４との交差部において、所定のデータ電極とスキャン電極ＳＣＮ６４との間および維持電極ＳＵＳ６４とスキャン電極ＳＣＮ６４との間に書き込み放電が起こり、この交差部のスキャン電極ＳＣＮ６４上の保護膜３表面に正電圧が蓄積され、維持電極ＳＵＳ６４上の保護膜３表面に負電圧が蓄積され、書き込み放電が起こったデータ電極上の絶縁体層７の表面に負電圧が蓄積される。
【００５１】
次にスキャン電極駆動用ＩＣ２１が所定の出力を終了した後、スキャン電極駆動用ＩＣ２２がスキャンパルスを出力する。このとき、出力を開始するスキャン電極駆動用ＩＣ２２のＧＮＤ端子はスイッチ２７によって０（Ｖ）に固定されている。それ以外のスキャン電極駆動用ＩＣ２３、２４のＧＮＤ端子２６はＶｓ２（Ｖ）のままとする。スキャン電極駆動用ＩＣ２２の書き込み動作はスキャン電極ＳＣＮ６５からＳＣＮ１２８であり、これに合わせて維持電極ＳＵＳ６５からＳＵＳ１２８に対して行われる。このときの動作はスキャン電極駆動用ＩＣ２１と同じである。
【００５２】
次にスキャン電極駆動用ＩＣ２２が所定のスキャンパルス出力を終えた後には、スキャン電極駆動用ＩＣ２３がスキャンパルスを出力する。このときもすでに出力を終えたスキャン電極駆動用ＩＣ２２のＧＮＤ端子２６および、今からスキャンパルス出力を開始するスキャン電極駆動用ＩＣ２３のＧＮＤ端子２６はスイッチ２７、２８によって０（Ｖ）に固定されている。そして、スキャン電極駆動用ＩＣ２４のみＧＮＤ端子２６はＶｓ２（Ｖ）のままとする。スキャン電極駆動用ＩＣ２３の書き込み動作はスキャン電極ＳＣＮ１２９からＳＣＮ１９２であり、これに合わせて維持電極ＳＵＳ１２９からＳＵＳ１９２に対して行われる。
【００５３】
最後にスキャン電極駆動用ＩＣ２３が所定の出力を終えた後には、スキャン電極駆動用ＩＣ２４がスキャンパルスを出力する。このときには全てのスキャン電極駆動用ＩＣ２２〜２４のＧＮＤ端子２６は全てスイッチ２７〜２９によって０（Ｖ）に固定する。スキャン電極駆動用ＩＣ２４の書き込み動作はスキャン電極ＳＣＮ１９３からＳＣＮ２５６であり、これに合わせて維持電極ＳＵＳ１９３からＳＵＳ２５６に対して行われる。
【００５４】
この一連の動作によって、図２に示すようにスキャン電極駆動用ＩＣ２１〜２４の電圧振幅の最大可能出力が０（Ｖ）からＶｓ（Ｖ）であったとしても、スキャンパルスを出力していないスキャン電極駆動用ＩＣの出力は、ＧＮＤ端子２６にＶｓ２（Ｖ）が印加されるため、Ｖｓ（Ｖ）＋Ｖｓ２（Ｖ）の電圧振幅を出力することができる。
【００５５】
ところで、上述したように、初期化動作終了後にはスキャン電極とデータ電極間およびスキャン電極と維持電極間は印加電圧とセルに形成された壁電圧によりそれぞれ放電開始電圧ぎりぎり、あとわずかでもセル内に加わる電圧を大きくしたら放電する状態に保持されている。ここで仮に、スキャンパルスの電圧振幅が０（Ｖ）からＶｓ（Ｖ）、データパルスの電圧振幅が０（Ｖ）からＶｗ（Ｖ）で、しかもＶｓ（Ｖ）とＶｗ（Ｖ）が近い値であったとすると、書き込み放電させるセルではデータ電圧Ｖｗ（Ｖ）が印加され、スキャンパルスは０（Ｖ）が印加され、書き込みの必要の無いセルでは、このときスキャンパルスはＶｓ（Ｖ）が印加されて壁電荷に移動は無く壁電圧も減少しないが、実際のプラズマディスプレイパネルでは放電開始電圧ぎりぎりの状態は長くは続かず、壁電圧が減少してしまう。
【００５６】
本発明においては、スキャンパルスの電圧振幅が０（Ｖ）からＶｓ（Ｖ）の電圧のスキャン電極駆動用ＩＣであっても、データ電圧振幅を０（Ｖ）からＶｗ（Ｖ）のときに、書き込み放電しないセルにはスキャン電圧振幅０（Ｖ）からＶｓ（Ｖ）＋Ｖｓ２（ｖ）の電圧を印加することができる構成であるため、同じＶｓ（Ｖ）をそのまま維持していれば壁電圧は減少するはずが、放電開始電圧までＶｓ２（Ｖ）をさらに必要とすることから、放電を抑制することができ、書き込み動作期間中の不必要な期間での壁電荷の移動を防止することができる。
【００５７】
なお、以上の説明では、維持期間、消去期間での動作を省略したが、この期間での動作は従来の技術で説明したものと同様な動作を行う。
【００５８】
（第２の実施の形態）
次に、本発明の第２の実施の形態によるプラズマディスプレイ装置について、図４〜図６を用いて説明する。なお、図４において、図１に示す部分と同一部分については同一番号を付しており、この実施の形態においては、スキャン電極駆動用ＩＣ２１のＧＮＤ端子２６側を、切り替え手段であるスイッチ３１によって２つの異なる電圧である０（Ｖ）とＶｓ２（Ｖ）に切り替え可能なように構成したものである。
【００５９】
また、この実施の形態においては、図５に示すように、第１ないし第８のサブフィールドはそれぞれ初期化動作、書き込み動作、維持動作および消去動作を行う期間により構成されているが、初期化動作を主目的とした初期化期間は１フィールドに１度しかない駆動方法の場合の例である。なお、以降の説明では書き込み動作期間中での説明のみを行い、初期化期間、維持期間、消去期間の動作については、説明を省略する。
【００６０】
次に、書き込み期間の書き込み動作について図５、図６を用いて説明する。すべてのスキャン電極駆動用ＩＣ２１〜２４は、図４に示すように電源端子２５とＧＮＤ端子２６間にＶｓ（Ｖ）が印加されており、そのＧＮＤ端子２６側は、スイッチ２７〜２９、３１によって０（Ｖ）とＶｓ２（Ｖ）によって切り替え可能な構成としている。また、スキャン電極駆動用ＩＣ２１〜２４を制御する制御信号は、各々のスキャン電極駆動用ＩＣ２１〜２４のＧＮＤレベルが異なるため、信号レベルシフト素子３０を通して各スキャン電極駆動用ＩＣ２１〜２４に入力するように構成している。
【００６１】
まず、スキャン電極の１ライン目から６４ライン目に対してスキャンパルスを印加するスキャン電極駆動用ＩＣ２１のＧＮＤ端子２６はスイッチ３１により０（Ｖ）に固定されている。それ以外のスキャン電極駆動用ＩＣ２２〜２４については、スイッチ２７〜２９によってＶｓ２（Ｖ）に固定されている。
【００６２】
スキャン電極ＳＣＮ１〜ＳＣＮ６４をスイッチ３１によりＶｓ（Ｖ）に保持し、データ電極Ｄ１〜ＤＭのうち、第一行目に表示すべき放電セル１２に対応する所定のデータ電極に正の書き込みパルス電圧Ｖｗ（Ｖ）を、第一行目のスキャン電極ＳＣＮ１にスキャンパルス電圧０（Ｖ）をそれぞれ印加する。このとき、所定のデータ電極とスキャン電極ＳＣＮ１との交差部における絶縁体層７の表面とスキャン電極ＳＣＮ１上の保護膜３の表面との間の電圧は、書き込みパルス電圧Ｖｗ（Ｖ）にデータ電極Ｄ１〜ＤＭ上の絶縁体層７の表面の正の壁電圧が加算されたものとなるため、この交差部において、所定のデータ電極とスキャン電極ＳＣＮ１との間および維持電極ＳＵＳ１とスキャン電極ＳＣＮ１との間に書き込み放電が起こり、この交差部のスキャン電極ＳＣＮ１上の保護膜３表面に正電圧が蓄積され、維持電極ＳＵＳ１上の保護膜３表面に負電圧が蓄積され、書き込み放電が起こったデータ電極上の絶縁体層７の表面に負電圧が蓄積される。
【００６３】
同様な動作が引き続いて行われ、最後に、データ電極Ｄ１〜ＤＭのうち、第６４行目に表示すべき放電セル１２に対応する所定のデータ電極に正の書き込みパルス電圧Ｖｗ（Ｖ）を、第６４行目のスキャン電極ＳＣＮ６４にスキャンパルス電圧０（Ｖ）をそれぞれ印加する。このとき、所定のデータ電極とスキャン電極ＳＣＮ６４との交差部において、所定のデータ電極とスキャン電極ＳＣＮ６４との間および維持電極ＳＵＳ６４とスキャン電極ＳＣＮ６４との間に書き込み放電が起こり、この交差部のスキャン電極ＳＣＮ６４上の保護膜３表面に正電圧が蓄積され、維持電極ＳＵＳ６４上の保護膜３表面に負電圧が蓄積され、書き込み放電が起こったデータ電極上の絶縁体層７の表面に負電圧が蓄積される。
【００６４】
スキャン電極駆動用ＩＣ２１が所定のスキャンパルスの出力を終了した後、次にスキャン電極駆動用ＩＣ２２がスキャンパルスを出力する。このとき、今から出力を開始するスキャン電極駆動用ＩＣ２２のＧＮＤ端子２６はスイッチ２７によって０（Ｖ）に固定する。それ以外のスキャン電極駆動用ＩＣ２１、２３、２４のＧＮＤ端子２６はＶｓ２（Ｖ）とする。スキャン電極駆動用ＩＣ２２の書き込み動作はスキャン電極ＳＣＮ６５からＳＣＮ１２８であり、これに合わせて維持電極ＳＵＳ６５からＳＵＳ１２８に対して行われる。このときの動作は、スキャン電極駆動用ＩＣ２１と同じである。
【００６５】
次に、スキャン電極駆動用ＩＣ２２が所定のスキャンパルスの出力を終えた後には、スキャン電極駆動用ＩＣ２３がスキャンパルスを出力する。このときも、今からスキャンパルス出力を開始するスキャン電極駆動用ＩＣ２３のＧＮＤ端子２６はスイッチ２８によって０（Ｖ）に固定する。すでに出力を終えたスキャン電極駆動用ＩＣ２１、２２のＧＮＤ端子２６および今後出力するスキャン電極駆動用ＩＣ２４のＧＮＤ端子２６はＶｓ２（Ｖ）とする。スキャン電極駆動用ＩＣ２３の書き込み動作はスキャン電極ＳＣＮ１２９からＳＣＮ１９２であり、これに合わせて維持電極ＳＵＳ１２９からＳＵＳ１９２に対して行われる。
【００６６】
最後にスキャン電極駆動用ＩＣ２３が所定のスキャンパルスの出力を終えた後には、スキャン電極駆動用ＩＣ２４がスキャンパルスを出力する。このときにはスキャン電極駆動用ＩＣ２４のＧＮＤ端子２６のみをスイッチ２９によって０（Ｖ）に固定し、すでにスキャンパルス出力を終えたスキャン電極駆動用ＩＣ２１〜２３は各スイッチ３１、２７、２８により０（Ｖ）に固定する。スキャン電極駆動用ＩＣ２４の書き込み動作はスキャン電極ＳＣＮ１９３からＳＣＮ２５６であり、これに合わせて維持電極ＳＵＳ１９３からＳＵＳ２５６に対して行われる。
【００６７】
この一連の動作によって、図６に示した波形の通りスキャン電極駆動用ＩＣ２１〜２４の電圧振幅の最大可能出力が０（Ｖ）からＶｓ（Ｖ）であったとしても、スキャンパルスを出力していないスキャン電極駆動用ＩＣの出力は、ＧＮＤ端子にＶｓ２（Ｖ）が印加され、Ｖｓ（Ｖ）＋Ｖｓ２（Ｖ）を出力することができる。
【００６８】
初期化動作が毎サブフィールド毎にある場合には、スキャン電極駆動用ＩＣの出力終了後に初期化動作によって蓄積された、書き込み動作のための壁電圧が減少したとしても、次のサブフィールドの初期化動作で、もう一度必要な壁電圧を蓄積できるが、初期化動作を主とする期間が１フィールドに１度しかない場合には、一度壁電荷が減少すると、次のフィールドまで蓄積できないので、たとえあるサブフィールド中でスキャンパルス出力が印加されたとしても、そのセルが書き込み放電を起こすサブフィールドもしくは、次のフィールドの初期化期間まで壁電圧を維持しなければならない。
【００６９】
そこで、先に述べた動作によって、スキャンパルスを出力していないスキャン電極駆動用ＩＣは全てその出力を、壁電荷の移動を抑制するためのＶｓ（Ｖ）＋Ｖｓ２（Ｖ）とすることにより、安定した書き込み動作を行わせることができる。
【００７０】
【発明の効果】
以上の説明から明らかなように、本発明にかかるプラズマディスプレイ装置によれば、汎用の安価な低電圧スキャン電極駆動用ＩＣを用い、従来と同じように書き込み動作期間中で、本来必要としない不必要な期間での壁電荷の移動を防止することができ、安定した書き込み放電を起こすことができるという効果が得られる。
【図面の簡単な説明】
【図１】本発明の第１の実施の形態によるプラズマディスプレイ装置のスキャン電極駆動回路部分を示す概略構成図
【図２】同プラズマディスプレイ装置の書き込み期間中におけるスキャン電極駆動用ＩＣの出力波形図
【図３】同プラズマディスプレイ装置のパネル駆動波形図
【図４】本発明の第２の実施の形態によるプラズマディスプレイ装置のスキャン電極駆動回路部分を示す概略構成図
【図５】同プラズマディスプレイ装置の書き込み期間中におけるスキャン電極駆動用ＩＣの出力波形図
【図６】同プラズマディスプレイ装置のパネル駆動波形図
【図７】従来のＡＣ型プラズマディスプレイパネルを一部を切り欠いて示す斜視図
【図８】同パネルの電極配列図
【図９】同パネルの駆動波形図
【図１０】従来のプラズマディスプレイ装置におけるスキャン電極駆動回路部分の概略構成図
【符号の説明】
２１、２２、２３、２４  スキャン電極駆動用ＩＣ
２５  電源端子
２６  ＧＮＤ端子
２７、２８、２９、３１  スイッチ
【図１】
0005109216.tif 000002
【図２】
0005109216.tif 000003
【図３】
0005109216.tif 000004
【図４】
0005109216.tif 000005
【図５】
0005109216.tif 000006
【図６】
0005109216.tif 000007
【図７】
0005109216.tif 000008
【図８】
0005109216.tif 000009
【図９】
0005109216.tif 000010
【図１０】
0005109216.tif 000011